(57)【要約】【課題】大サイズの記録材上に形成される画像のプレビュー画像を、適切な向きで、しかも実寸サイズで、確認できるようにする。【解決手段】記録材へ画像形成する前のプレビュー画像を表示面１１上に表示する表示部１０と、前記表示面に表示されたプレビュー画像に対応する画像を記録材上に形成する画像形成部２０とを備えた画像形成装置１において、前記表示面の縦寸法及び横寸法の両方が、前記画像形成部により画像形成可能な記録材サイズの最大長辺の長さ以上であることを特徴とする。【選択図】図１
2018018057.tif 000002
【特許請求の範囲】
【請求項１】
記録材へ画像形成する前のプレビュー画像を表示面上に表示する表示部と、
前記表示面に表示されたプレビュー画像に対応する画像を記録材上に形成する画像形成部とを備えた画像形成装置において、
前記表示面の縦寸法及び横寸法の両方が、前記画像形成部により画像形成可能な記録材サイズの最大長辺の長さ以上であることを特徴とする画像形成装置。
【請求項２】
請求項１に記載の画像形成装置において、
前記記録材サイズの最大長辺は、日本工業規格Ａ列３番の長辺以上であることを特徴とする画像形成装置。
【請求項３】
請求項１又は２に記載の画像形成装置において、
前記表示面が面する装置正面から見て、装置幅が前記最大長辺の長さの２倍以上であり、装置奥行きが前記画像形成部により画像形成可能な記録材サイズの最大短辺の長さの２倍未満であることを特徴とする画像形成装置。
【請求項４】
請求項１乃至３のいずれか１項に記載の画像形成装置において、
装置外部を撮像する撮像部と、
前記撮像部で撮像した撮像画像のプレビュー画像を前記表示面に表示させる表示制御手段とを有することを特徴とする画像形成装置。
【請求項５】
請求項１乃至４のいずれか１項に記載の画像形成装置において、
前記画像形成部により画像が形成された記録材を装置外部へ排出する記録材排出口を有し、
前記記録材排出口は、前記表示面が面する装置正面とは異なる面に配置され、又は、該装置正面における該表示面の下方に配置されていることを特徴とする画像形成装置。
【請求項６】
請求項１乃至５のいずれか１項に記載の画像形成装置において、
前記表示面上におけるユーザーの操作位置を検出する操作位置検出手段を有することを特徴とする画像形成装置。
【請求項７】
請求項６に記載の画像形成装置において、
前記プレビュー画像が前記表示面に表示されているときの前記操作位置検出手段の検出結果に基づいて、該プレビュー画像にユーザーが追記した追記画像を重畳させた重畳プレビュー画像を、前記表示面に表示させる表示制御手段を有することを特徴とする画像形成装置。
【請求項８】
請求項１乃至７のいずれか１項に記載の画像形成装置において、
前記表示面は、装置正面の上部に配置されており、
装置背面には、テーブルが配置されていることを特徴とする画像形成装置。
【請求項９】
請求項１乃至８のいずれか１項に記載の画像形成装置において、
前記画像形成部は、前記画像形成装置に設けられた収容部に対して着脱可能に収容される画像形成ユニットであることを特徴とする画像形成装置。
【請求項１０】
請求項１乃至９のいずれか１項に記載の画像形成装置と、
画像形成機能を備えていない画像表示装置とが互いに連結され、
前記画像表示装置の表示部に表示された画像を前記画像形成装置の画像形成部により記録材上に形成可能に構成されていることを特徴とする画像形成システム。
【発明の詳細な説明】
【技術分野】
【０００１】
本発明は、画像形成装置及び画像形成システムに関するものである。
【背景技術】
【０００２】
記録材へ画像形成する前のプレビュー画像を表示面上に表示する表示部を備え、その表示面に表示されたプレビュー画像に対応する画像を記録材上に形成する画像形成装置が知られている。
【０００３】
例えば、特許文献１には、装置正面におけるユーザーの目に付きやすい位置に、タッチパネルが積層された液晶式のディスプレイが配置された画像形成装置が開示されている。この画像形成装置は、広告やチラシなどの画像をディスプレイに表示するとともに、ディスプレイに表示された画像をユーザーからのプリント指示に従って記録シート上に印刷し、その記録シートはディスプレイのすぐ下方にある排紙口から排紙される。
【発明の概要】
【発明が解決しようとする課題】
【０００４】
表示部を備えた画像形成装置では、記録材へ画像を形成する前に、表示部のプレビュー画像を見ることで、記録材上に画像がどのように形成されるかを確認することができる。しかしながら、従来の画像形成装置では、表示部の表示面が小さく、大サイズの記録材上に形成される画像のプレビュー画像を、適切な向きで、しかも実寸サイズで、確認することができない場合があった。
【課題を解決するための手段】
【０００５】
上述した課題を解決するために、記録材へ画像形成する前のプレビュー画像を表示面上に表示する表示部と、前記表示面に表示されたプレビュー画像に対応する画像を記録材上に形成する画像形成部とを備えた画像形成装置において、前記表示面の縦寸法及び横寸法の両方が、前記画像形成部により画像形成可能な記録材サイズの最大長辺の長さ以上であることを特徴とする。
【発明の効果】
【０００６】
本発明によれば、大サイズの記録材上に形成される画像のプレビュー画像を、適切な向きで、しかも実寸サイズで、確認することができるという優れた効果が奏される。
【図面の簡単な説明】
【０００７】
【図１】実施形態における画像形成装置の正面側から見た斜視図である。
【図２】同画像形成装置の正面に設けられる用紙補充用開閉カバーを開けた状態の正面斜め上方から見たときの図である。
【図３】同画像形成装置の正面に設けられる開閉カバーを開けた状態の斜視図である。
【図４】同画像形成装置の背面側から見た斜視図である。
【図５】同画像形成装置の用紙搬送部が回動する様子を示す説明図である。
【図６】同画像形成装置の背面にオプション天板を装着した例を示す斜視図である。
【図７】同画像形成装置の主要な制御に関するハードウェア構成を示すブロック図である。
【図８】同画像形成装置を用いた処理の一例を示すフローチャートである。
【図９】同画像形成装置のタッチパネルの表示面に表示されたホーム画面の例を示す説明図である。
【図１０】同表示面に表示されたホーム画面の「コピー」ボタンにタッチしてコピー機能を選択した時の撮像前における画面の例を示す説明図である。
【図１１】コピー機能選択時でのＡ４判縦長の原稿を撮像したときの同表示面に表示された画面の例を示す説明図である。
【図１２】コピー機能選択時でのＡ４判横長の原稿を撮像したときの同表示面に表示された画面の例を示す説明図である。
【図１３】コピー機能選択時での「追記する」ボタンにタッチしたときに表示される画面の例を示す説明図である。
【図１４】コピー機能選択時での「画像へ追記」ボタンをタッチしたときの拡大表示の例を示す説明図である。
【図１５】コピー機能選択時での原稿画像中に手書き画像を追記した画像の拡大表示の例を示す説明図である。
【図１６】コピー機能選択時での原稿画像中に手書き画像を追記した画像の実寸表示の例を示す説明図である。
【図１７】コピー機能選択時での「余白へ追記」ボタンをタッチするときの画面の例を示す説明図である。
【図１８】コピー機能選択時での「余白へ追記」ボタンをタッチしたときの、原稿画像の周囲に余白領域が表示された用紙全体の画像の拡大表示の例を示す説明図である。
【図１９】コピー機能選択時での原稿画像周囲の余白領域に手書き画像を追記した画像の拡大表示の例を示す説明図である。
【図２０】コピー機能選択時での原稿画像周囲の余白領域に手書き画像を追記した画像の実寸表示の例を示す説明図である。
【図２１】同画像形成装置の一使用例を装置正面側から見た斜視図である。
【図２２】同使用例における装置背面側から見た斜視図である
【図２３】同画像形成装置の他の使用例を示す斜視図である。
【図２４】同画像形成装置の更に他の使用例を示す斜視図である。
【図２５】同画像形成装置の更に他の使用例を示す斜視図である。
【図２６】同画像形成装置の更に他の使用例を示す斜視図である。
【図２７】２つの画像形成装置同士を連結するための連結機構の一例を説明する背面斜視図である。
【図２８】（ａ）は、連結前における２つの画像形成装置の上部連結箇所を拡大した拡大斜視図であり、（ｂ）は、連結後の上部連結箇所を拡大した拡大斜視図である。
【図２９】（ａ）は、連結前における２つの画像形成装置の下部連結箇所を拡大した拡大斜視図であり、（ｂ）は、連結後の下部連結箇所を拡大した拡大斜視図である。
【図３０】変形例１における画像形成装置の一使用例を装置正面側から見た斜視図である。
【図３１】同使用例における装置背面側から見た斜視図である。
【図３２】画像形成装置とキャビネット及びパーティションとを連結するための連結機構の一例を説明する背面斜視図である。
【図３３】（ａ）は、連結前における画像形成装置とパーティションとの連結箇所を拡大した拡大斜視図であり、（ｂ）は、連結後の連結箇所を拡大した拡大斜視図である。
【図３４】（ａ）は、連結前における画像形成装置とキャビネットとの連結箇所を拡大した拡大斜視図であり、（ｂ）は、連結後の連結箇所を拡大した拡大斜視図である。
【図３５】変形例２における画像形成装置の外観を示す斜視図である。
【図３６】変形例２における画像形成装置の前面開閉カバーを開いた状態を示す斜視図である。
【図３７】変形例２における画像形成装置の収容部から画像形成ユニットを取り外した状態を示す斜視図である。
【図３８】同画像形成装置のタッチパネルの表示面が横長形状である例を示す斜視図である。
【図３９】同画像形成装置の具体的な形状の一例を示す正面図である。
【図４０】同例を示す背面図である。
【図４１】同例を示す左側面図である。
【図４２】同例を示す右側面図である。
【図４３】同例を示す平面図である。
【図４４】同例を示す底面図である。
【図４５】同例を正面側か見た斜視図である。
【図４６】同例を背面側か見た斜視図である。
【発明を実施するための形態】
【０００８】
以下、本発明に係る画像形成装置の一実施形態について説明する。
図１は、本実施形態における画像形成装置の正面側から見た斜視図である。
図２は、本実施形態における画像形成装置の正面に設けられる用紙補充用開閉カバーを開けた状態の正面斜め上方から見たときの図である。
図３は、本実施形態における画像形成装置の正面に設けられる開閉カバーを開けた状態の斜視図である。
図４は、本実施形態における画像形成装置の背面側から見た斜視図である。
【０００９】
本実施形態の画像形成装置１は、略矩形状で奥行きが短い表示部１０が装置上部に設けられ、画像形成部２０が装置下部に設けられている。表示部１０は、装置正面側に、記録材としての用紙４へ画像形成する前のプレビュー画像が表示されるタッチパネル１１を備えている。このタッチパネル１１は、本画像形成装置１を操作する操作パネルとしても機能する。ここで、プレビュー画像とは、印刷しようとする画像を用紙４に印刷した状態を表す画像であり、例えば用紙の輪郭の内側に印刷しようとする画像を表した画像である。
【００１０】
このタッチパネル１１の表示面は、その縦寸法及び横寸法のいずれもが、画像形成部２０で画像形成可能な用紙サイズの最大長辺の長さ以上となるように構成されている。本実施形態の画像形成装置１は、最大で、日本工業規格Ａ列４番（以下「Ａ４判」という。）の用紙４に画像形成することができるので、画像形成部２０で画像形成可能な用紙サイズの最大長辺の長さは、２９７ｍｍである。ただし、これに限らず、例えば、印刷可能な最大用紙サイズが日本工業規格Ａ列３番（以下「Ａ３判」という。）である場合には、画像形成部２０で画像形成可能な用紙サイズの最大長辺の長さは４２０ｍｍとなり、また、日本工業規格Ｂ列３番（以下「Ｂ３判」という。）である場合には、画像形成部２０で画像形成可能な用紙サイズの最大長辺の長さは５１５ｍｍとなる。
【００１１】
本実施形態におけるタッチパネル１１の表示面の縦寸法は、例えば、画像形成部２０で画像形成可能な用紙サイズである最大長辺（Ａ４判の長辺）の長さの１．５倍程度に設定され、横寸法は２倍程度に設定されているが、これに限られない。タッチパネル１１の表示面の縦寸法及び横寸法を、画像形成部２０で画像形成可能な用紙サイズの最大長辺の長さよりも大きく設定することで、後述するように、用紙上に印刷される画像のサイズ（実寸サイズ）よりも大きく拡大した画像をタッチパネル１１の表示面に表示可能となる。
【００１２】
本実施形態の画像形成部２０は、給紙部２１と、用紙搬送部２２と、作像部２３と、定着部２４と、トナー容器２６が装着されるトナー補給部２５と、印刷済み用紙積載部２８と、印刷済み用紙４’を機外へ排出するための排紙口２７とから構成されている。給紙部２１に積載された用紙４の束から用紙を１枚ずつ用紙搬送部２２によって搬送し、作像部２３により搬送中の用紙上に画像を形成する。
【００１３】
本実施形態の作像部２３は、電子写真方式を採用したタンデム型の作像方式を採用しており、イエロー（Ｙ）、マゼンタ（Ｍ）、シアン（Ｃ）、ブラック（Ｂｋ）の各色トナーを用いてフルカラー画像を作像可能である。詳しくは、潜像担持体である４つの感光体の表面をそれぞれ一様に帯電処理した後、帯電処理後の感光体表面を原稿画像データに基づいて露光して静電潜像を形成し、これらの静電潜像をそれぞれの色のトナーで現像し、最終的に用紙搬送部２２によって搬送される用紙４上に転写して、用紙４上に画像を形成する。なお、作像部２３での作像方式は、電子写真方式を採用しているが、インクジェット方式などの他の作像方式であってもよい。
【００１４】
作像部２３により画像が形成された用紙４’は、定着部２４により定着処理を受けて画像が定着され、印刷済み用紙積載部２８に収容され、その一部が、図１に示すように、画像形成装置１の側面に設けられる排紙口２７から突出する。排紙口２７から排出される印刷済みの用紙４’は、その先端部だけが排紙口２７から露出した状態で保持され、ユーザーがその先端部を把持して引き抜くことにより印刷済みの用紙４’が排紙口２７から取り出される。
【００１５】
本実施形態の画像形成装置１には、その装置正面に２つの開閉カバー２，５が設けられている。下側に位置する用紙補充用開閉カバー２は、図２に示すように、装置正面へ水平方向にスライド可能な構成となっており、用紙補充用開閉カバー２を装置正面側へ引き出すことにより、給紙部２１を装置外部に露出させ、給紙部２１に用紙４をセットすることができる。
【００１６】
また、上側に位置するトナー補給用開閉カバー５は、図３に示すように、下開きの扉であり、このトナー補給用開閉カバー５を開くことで、トナー補給部２５に装置外部からアクセスできるようになる。したがって、トナー補給用開閉カバー５を開くことで、ユーザーは、トナー容器２６を交換することができる。また、トナー補給用開閉カバー５を開くことで、画像形成部２０を構成する各部にも装置外部からアクセスできるようになるので、ユーザーは、用紙搬送部２２の用紙詰まりなどのメンテナンスを行うこともできる。このとき、用紙搬送部２２は、ユーザーの用紙詰まり等のメンテナンス作業が容易になるように、図５に示すようにおよそ３０°開くように構成されている。
【００１７】
また、本実施形態の画像形成装置１の背面側は、後下カバーを構成する後下カバー右斜面６、後下カバー左斜面７、後下カバー上面８によって覆われている。これらのカバー面６，７，８により、本実施形態の画像形成装置１の下部の背面側は、図４に示すように、三角柱形状をなし、この三角柱形状の内部に、画像形成部２０の全部又は一部が収容されている。
【００１８】
本実施形態では、画像形成装置１の奥行きが、画像形成部２０で画像形成可能な用紙サイズの最大短辺の長さの２倍未満となるように構成されている。すなわち、本実施形態の画像形成装置１は、上述したとおり、印刷可能な最大用紙サイズはＡ４判であるため、画像形成部２０で画像形成可能な用紙サイズの最大短辺の長さは、２１０ｍｍである。画像形成部２０の感光体軸方向寸法は、通常、画像形成部２０で画像形成可能な用紙サイズの最大短辺に合わせて決められ、画像形成装置１の奥行きを最大短辺の長さの２倍未満とするためには、感光体軸方向が画像形成装置１の奥行き方向（前後方向）に一致するように画像形成部２０を配置することが困難である。
【００１９】
そのため、本実施形態では、感光体軸方向が画像形成装置１の奥行き方向に対しておよそ６０°傾いた方向となるように画像形成部２０を配置している。そして、定着部２４から排紙口２７に至るまでの用紙搬送経路をひねるように延在させることで、後下カバー右斜面６、後下カバー左斜面７、後下カバー上面８によって覆われている三角柱形状の内部に、画像形成部２０が収容されている。
【００２０】
なお、本実施形態の後下カバー上面８の上には、図６に示すように、オプション天板９を装着することができる。これにより、このオプション天板９により、画像形成装置１の背面にテーブルができあがり、画像形成装置１の背面側スペースも、テーブルを用いる様々な用途に活用が可能となる。
【００２１】
また、本実施形態の画像形成装置１には、カメラ部１２、マイク部１３、スピーカ部１４なども設けられている。カメラ部１２は、画像形成装置１の装置正面の上部に配置されており、画像形成装置１の装置正面側の撮像領域を撮像することができる。ユーザーは、カメラ部１２の撮像領域に原稿をかざすことにより、フラットベッドスキャナやシートスルースキャナなどの画像読取手段と同様に、原稿画像を読み取ることができる。もちろん、カメラ部１２に代えて、これらの画像読取手段を採用してもよい。
【００２２】
図７は、本実施形態における画像形成装置１の主要な制御に関するハードウェア構成を示すブロック図である。
本実施形態の画像形成装置１は、図７に示すように、上述したように、表示部１０を構成するタッチパネル１１、カメラ部１２、マイク部１３、スピーカ部１４、画像形成部２０のほか、ＣＰＵ（Central Processing Unit）７０１、ＲＯＭ（Read Only Memory）７０２、ＲＡＭ（Random Access Memory）７０３、ＨＤＤ（Hard Disc
Drive）７０４、ＨＤＣ(Hard Disk Controller)７０５、外部インターフェース（Ｉ／Ｆ）７０８、ＧＰＵ(Graphics Processing Unit)７１２が、拡張バスライン７２０で接続された制御部を備えている。
【００２３】
ＣＰＵ７０１は、画像形成装置１の全体動作を制御する。ＲＯＭ７０２は、ＣＰＵ７０１の処理動作に用いられるプログラムを記憶している。ＲＡＭ７０３は、ＣＰＵ７０１のワークエリアとして使用される。ＨＤＤ７０４は、プログラムや各種データを記憶している。ＨＤＣ７０５は、ＣＰＵ７０１の制御に従ってＨＤＤ７０４に対する各種データの読み出し又は書き込みを制御する。Ｉ／Ｆ７０８は、有線あるいは無線の通信ネットワークを介して外部機器との間でデータの送受信を行う。ＧＰＵ７１２には、ＧＰＵ７１２の駆動に用いられるプログラムを記憶したＲＯＭ７１３、ＧＰＵ７１２のワークエリアとして使用されるＲＡＭ７１４が接続されており、各種画像処理を実行する。拡張バスライン７２０は、上記各構成要素を電気的に接続するためのアドレスバスやデータバス等を備える。
【００２４】
タッチパネル１１は、ユーザーが指やスタイラスなどの検知対象物が表示面上に接触又は近接した位置を検知することができる。その検知方式には、特に制限はなく、公知のものを広く利用することができる。タッチパネル１１が検知した検知対象物の位置（タッチ位置）や、タッチ位置の時間変化（動き）等に応じて、ＣＰＵ７０１は、タッチパネル１１の表示面に表示される画像の表示制御等を実行する。例えば、タッチパネル１１の表示面上のタッチ位置に画像を表示して、その軌跡によって描かれる文字や図形等を表示面上に表示させる表示制御を行う。また、例えば、タッチパネル１１の表示面上のタッチ位置や動きに応じて、表示面上に表示されている画像の移動、回転、切り替え、拡大や縮小などの表示制御を行う。
【００２５】
ＧＰＵ７１２は、例えば、カメラ部１２が撮像して読み込んだ原稿画像データから、原稿以外の画像部分（背景やユーザーの指など）を除去したり、歪みを補正したりするなどの画像処理を実行する。また、タッチパネル１１が検知したタッチ位置の座標データに基づいて、追記された画像（手書き画像）を生成する画像処理なども行い、タッチパネル１１の表示面に既に表示されている画像に手書き画像を重畳して表示させる表示制御を実行する。
【００２６】
カメラ部１２は、上述した原稿の読み取りだけでなく、ユーザーの顔や景色などの静止画や動画を撮像することができる。また、マイク部１３により、ユーザーの会話を録音することもできる。また、Ｉ／Ｆ７０８を通じて接続された外部機器（モバイル端末等）、あるいは、可搬型記録媒体などからも、原稿画像データを読み込んで、タッチパネル１１に表示させ、また、画像形成部２０により用紙４に印刷することができる。また、タッチパネル１１の表示面は、ホワイトボード用のインクペン等によりインクで画像を書き込むこともできるように、その表示面はガラスなどのインクを消去しやすい材質であるのが好ましい。なお、本画像形成装置１をホワイトボードとして利用する際には、タッチパネル１１の表示面に白色無地画像を表示させるなどして、インクペン等によるインク画像の視認性を高めるようにするのが好ましい。
【００２７】
図８は、画像形成装置１を用いた処理の一例を示すフローチャートである。
図９〜図２０は、タッチパネル１１に表示される各種画面例を示す説明図である。
本画像形成装置１を起動させると、タッチパネル１１の表示面には、まず、図９に示すようなホーム画面が表示される。ここで、コピー機能を選択するボタン画像にタッチすると（Ｓ１）、タッチパネル１１の表示が図１０に示すようなコピー画面に遷移するとともに、カメラ部１２が起動する。このコピー画面には、カメラ部１２が撮像する撮像画像が表示される。そして、ユーザーは、カメラ部１２の撮像領域に原稿をかざすと、図１１で示すように、コピー画面のプレビュー領域にカメラ部１２で撮像した原稿画像が表示される。ユーザーがコピー画面の「読み取る」ボタンにタッチすると、カメラ部１２は所定の設定時間（例えば２秒）が経過した後に、撮像動作を実行する（Ｓ２）。
【００２８】
このようにして撮像された撮像画像データは、ＧＰＵ７１２により、原稿以外の画像部分（背景やユーザーの指など）を除去したり歪みを補正したりする画像処理が施される（Ｓ３）。このような画像処理後のデータが原稿画像データとして読み取られる。その後、読み取った原稿画像データは、ＧＰＵ７１２により、タッチパネル１１の表示面に表示される（Ｓ４）。このとき、タッチパネル１１の表示面には、ユーザーがカメラ部１２にかざした原稿が印刷される用紙上での画像のサイズ（画像形成可能な用紙サイズに対応した画像サイズ）と同じサイズ（実寸サイズ）の原稿画像が表示されるように、表示制御がなされるようにしてもよい。あるいは、タッチパネル１１の表示面に表示可能な最大サイズまで拡大して原稿画像を表示するようにしてもよい。
【００２９】
原稿が印刷される用紙のサイズは、原稿の用紙サイズと同じであってもよいが、例えば、コピー機能を選択するボタン画像にタッチした後に（Ｓ１）、印刷する用紙サイズをユーザーに設定させるようにしてもよい。
【００３０】
なお、図１１に示すように、コピー画面上の「読み直す」ボタンにタッチすれば、再度、原稿の読み取り（カメラ部１２による撮像）を行うことができる。
また、図１１に示す例は、Ａ４判の縦長の原稿を読み取って、その原稿画像を適切な向きで、しかも実寸サイズで、タッチパネル１１の表示面に表示した例である。これに限らず、本実施形態では、図１２に示すように、Ａ４判の横長の原稿を読み取る場合でも、その原稿画像を適切な向きで、しかも実寸サイズで、タッチパネル１１の表示面に表示させることができる。
【００３１】
ユーザーは、タッチパネル１１の表示面に表示された原稿画像を印刷する場合、コピー画面上の「１枚印刷」ボタンにタッチする（Ｓ５のＮｏ、Ｓ９のＹｅｓ）。これにより、タッチパネル１１の表示面に表示されている原稿画像（印刷対象画像）を、用紙４上に印刷後の画像サイズと同じサイズ（実寸サイズ）で、タッチパネル１１の表示面にプレビュー表示する（Ｓ１０）。表示面の縦寸法及び横寸法が画像形成可能な用紙サイズの最大長辺の長さ以上であるので、実寸サイズのプレビュー画像を部分的に拡大して表示面に表示するのでなく、実寸サイズのプレビュー画像の全体を表示面に表示することができる。このプレビュー表示では、図１１に示す例においては、Ａ４判の縦長の用紙４上に形成される印刷対象画像が、適切な向きで、しかも実寸サイズで、タッチパネル１１の表示面にプレビュー表示される。また、本実施形態では、図１２に示す例のように、Ａ４判の横長の用紙４上に形成される印刷対象画像も、適切な向きで、しかも実寸サイズで、タッチパネル１１の表示面にプレビュー表示させることができる。
【００３２】
そして、タッチパネル１１にプレビュー表示された実寸サイズのプレビュー画像（用紙４に印刷された後の想定画像）を確認した後、ユーザーは印刷を実行する指示操作を行う（Ｓ１１）。これにより、印刷対象画像の画像データが画像形成部２０に送られ、画像形成部２０において、Ａ４判の用紙４に当該画像データに基づく画像が印刷され（Ｓ１２）、その用紙４’が排紙口２７から排紙され、コピーが完了する。なお、コピー画面上の「印刷設定」ボタンにタッチすることで、印刷用紙サイズ、印刷対象画像の倍率、印刷枚数の変更などの印刷設定を適宜変更することが可能である。この印刷設定で印刷用紙サイズが変更されたり、印刷対象画像の倍率が変更されたりして、実寸サイズが変更された場合、変更後の実寸サイズで、タッチパネル１１の表示面にプレビュー表示がなされる。
【００３３】
また、本実施形態において、ユーザーは、タッチパネル１１の表示面に表示された原稿画像に、手書き画像を追記したものを印刷することもできる。この場合、ユーザーは、コピー画面上の「追記する」ボタンにタッチする（Ｓ５のＹｅｓ）。これにより、図１３に示すように、追記の種類を選択するためのプルダウンメニューが表示され、ユーザーは、原稿画像の内部に追記する「画像へ追記」ボタンか、原稿画像の余白部分に追記する「余白へ追記」ボタンのいずれかをタッチする。
【００３４】
ここで、ユーザーが「画像へ追記」ボタンをタッチすると、図１４に示すように、画像の内部へ追記しやすいように、実寸サイズで表示されていた原稿画像を拡大表示させる。このとき、図１４に示すように、「追記する」ボタンの表記が「画像へ追記」という表記に代わるとともに、その画像下方に、「実寸で表示」ボタンが表示される。「実寸で表示」ボタンをユーザーがタッチすると、現在表示されている原稿画像が実寸サイズで表示され、その「実寸で表示」ボタンが「拡大表示」ボタンに切り替わる。このボタンは「実寸で表示」と「拡大表示」とが交互でトグル切り替えされる。
【００３５】
タッチパネル１１に表示されている拡大表示の原稿画像上を、ユーザーが指等でタッチすると、タッチパネル１１が検知したタッチ位置を検知し、その座標データが記録されていく（Ｓ６）。そして、その座標データに基づいて、追記された画像（手書き画像）が生成され、図１５に示すように、タッチパネル１１の表示面に既に表示されている画像に当該手書き画像を重畳して表示させる表示制御が実行される（Ｓ７）。本実施形態では、追記時には、原稿画像を拡大表示させることができるので、実寸サイズでは追記しにくい細線や小さい文字なども原稿画像中に追記しやすい。
【００３６】
また、ユーザーは、必要に応じて、画面上の「実寸で表示」ボタンをタッチすることにより、図１６に示すように、追記した手書き画像が重畳された状態の原稿画像を実寸サイズで表示させ、追記後の画像を実寸で確認することができる。これにより、追記した手書き画像が小さすぎて視認しにくいかどうかを確認でき、もし視認しにくい場合には、画面上の「拡大表示」ボタンをタッチして、再び、手書き画像が重畳した原稿画像を拡大表示させて、その手書き画像を消去する操作を行った後、新たに追記し直すことができる。
【００３７】
ユーザーは、このようにして原稿画像に手書き画像を追記した後の画像を印刷する場合、画面上の「１枚印刷」ボタンにタッチする（Ｓ８のＹｅｓ、Ｓ９のＹｅｓ）。これにより、タッチパネル１１の表示面に表示されている追記後の画像（印刷対象画像）を、用紙４上に印刷後の画像サイズと同じサイズ（実寸サイズ）で、タッチパネル１１の表示面にプレビュー表示する（Ｓ１０）。そして、タッチパネル１１にプレビュー表示された実寸サイズのプレビュー画像を確認した後、ユーザーが印刷を実行する指示操作を行うことにより（Ｓ１１）、印刷対象画像の画像データが画像形成部２０に送られる。その結果、画像形成部２０において、Ａ４判の用紙４に当該画像データに基づく画像が印刷され（Ｓ１２）、追記後の画像が印刷された用紙４’が排紙口２７から排紙される。
【００３８】
一方、ユーザーが図１７に示すように「余白へ追記」ボタンをタッチした場合、原稿画像の周囲に余白領域が表示された用紙全体の画像が拡大表示される。このとき、図１８に示すように、「追記する」ボタンの表記が「余白へ追記」という表記に代わるとともに、その画像下方に、「実寸で表示」ボタンが表示される。「実寸で表示」ボタンをユーザーがタッチすると、現在表示されている用紙全体の画像が実寸サイズで表示され、その「実寸で表示」ボタンが「拡大表示」ボタンに切り替わる。このボタンは「実寸で表示」と「拡大表示」とが交互でトグル切り替えされる。
【００３９】
タッチパネル１１に表示されている用紙全体の画像における余白領域上を、ユーザーが指等でタッチすると、タッチパネル１１が検知したタッチ位置を検知し、その座標データが記録されていく（Ｓ６）。そして、その座標データに基づいて、追記された画像（手書き画像）が生成され、図１９に示すように、タッチパネル１１の表示面に既に表示されている用紙全体の画像の余白領域に当該手書き画像を重畳して表示させる表示制御が実行される（Ｓ７）。
【００４０】
また、ユーザーは、必要に応じて、画面上の「実寸で表示」ボタンをタッチすることにより、図２０に示すように、追記した手書き画像が重畳された状態の用紙全体の画像を実寸サイズで表示させ、追記後における用紙全体の画像を実寸で確認することができる。これにより、追記した手書き画像が小さすぎて視認しにくいかどうかを確認でき、もし視認しにくい場合には、画面上の「拡大表示」ボタンをタッチして再び拡大表示させ、その手書き画像を消去する操作を行った後、新たに追記し直すことができる。
【００４１】
ユーザーは、このようにして原稿画像に手書き画像を追記した後の画像を印刷する場合、画面上の「１枚印刷」ボタンにタッチする（Ｓ８のＹｅｓ、Ｓ９のＹｅｓ）。これにより、タッチパネル１１の表示面に表示されている追記後の画像（印刷対象画像）を、用紙４上に印刷後の画像サイズと同じサイズ（実寸サイズ）で、タッチパネル１１の表示面にプレビュー表示する（Ｓ１０）。そして、タッチパネル１１にプレビュー表示された実寸サイズのプレビュー画像を確認した後、ユーザーが印刷を実行する指示操作を行うことにより（Ｓ１１）、印刷対象画像の画像データが画像形成部２０に送られる。その結果、画像形成部２０において、Ａ４判の用紙４に当該画像データに基づく画像が印刷され（Ｓ１２）、追記後の画像が印刷された用紙４’が排紙口２７から排紙される。
【００４２】
なお、追記後の画像を、印刷せずに、可搬型記録媒体にデータ保存したり、通信ネットワークを介して外部機器へ送信したりすることもできる。
また、ユーザーがインクペンホワイトボード機能を選択する指示操作を行うと、本実施形態の画像形成装置１は、タッチパネル１１の表示面を一様に白色表示させ、これによりホワイトボードとして使用することが可能である。タッチパネル１１の表示面上にインクペンで手書きしたものは、例えばユーザーのデジカメやスマートフォンなどのカメラ機器でタッチパネル１１の表示面を撮像し、その撮像画像データを画像形成装置１に送信することで、タッチパネル１１の表示面で実寸サイズによるプレビュー表示、印刷が可能である。
また、ユーザーが遠隔会議機能を選択する指示操作を行うと、カメラ部１２とマイク部１３、スピーカ部１４を使い、通信ネットワークを介して他の拠点と遠隔会議を実現することもできる。この場合、タッチパネル１１に表示した原稿画像やこれに手書き画像を追記した画像などを通信ネットワークを介して共有することもできる。
【００４３】
本実施形態においては、タッチパネル１１が大型化しているが、画像形成装置１の設置スペースが過大にならないように、画像形成装置１の画像形成部２０が収容された画像形成装置下部の鉛直方向投影領域内に、タッチパネル１１を備えた表示部１０が収まるように構成されている。このとき、画像形成装置下部の前面部がタッチパネル１１の表示面よりも前面側に突出した構成にすると、タッチパネル１１の表示面に対するユーザーの作業性、操作性が悪くなることから、タッチパネル１１の表示面が画像形成装置下部の前面にほぼ一致するように構成するのが好ましい。
【００４４】
また、本実施形態においては、表示部１０の下側に、表示部１０よりも重い画像形成部２０が配置されている。このような配置により、画像形成装置１の全体の重心位置が低くなり、画像形成装置１の転倒を抑制できる。
【００４５】
図２１は、本実施形態における画像形成装置１の一使用例を装置正面側から見た斜視図であり、図２２は、装置背面側から見た斜視図である。
本実施形態の画像形成装置１には、上述したように、装置背面の後下カバー上面８の上にオプション天板９を装着することができる。このオプション天板９の上面は、一般的なオフィス用途のキャビネットの上面と略同じ寸法であり、その高さも略同じになるように設定されている。したがって、本実施形態における画像形成装置１は、キャビネット３１の列に並べて配置したときに、キャビネット３１列の上面を平坦な面とすることができ、利便性の向上を図ることができる。
【００４６】
なお、図２１及び図２２に示す使用例では、図２１の左側から順に、本実施形態の画像形成装置１と同じ筐体のフリップチャート装置１０３、本実施形態の画像形成装置１から画像形成部２０を除去した周辺機器としての画像表示装置１０１、本実施形態の画像形成装置１が互いに連結されたユニットである。このように連結することで、画像形成装置１の転倒抑制を図ることもできる。
【００４７】
図２３は、本実施形態における画像形成装置１の他の使用例を示す斜視図である。
上述したように、本実施形態における画像形成装置１は、装置背面が三角柱形状となっているため、図２３に示すように、３つの画像形成装置１の互いの背面を向かい合わせるように配置することができる。このようなレイアウトでの使用も可能である。また、この使用例は、画像形成装置１の転倒抑制にも有効である。特に、３つの画像形成装置１をお互いに連結すれば、より高い転倒抑制効果が期待される。
【００４８】
本使用例によれば、全方位からタッチパネル１１の表示面が視認できるので、店舗などでのサイネージ・広告表示に適している。なお、４つ以上の画像形成装置１の互いの背面を向かい合わせるように配置することも可能である。例えば、５つ以上の画像形成装置１の互いの背面を向かい合わせるように配置して五角柱形状とすることも可能である。また、本使用例は、装置背面が三角柱形状となっている構成に限らず、背面の側角辺を面取りしたような形状であれば、可能である。
【００４９】
図２４は、本実施形態における画像形成装置１の更に他の使用例を示す斜視図である。
この使用例は、本実施形態における画像形成装置１の左側に、本実施形態の画像形成装置１から画像形成部２０を除去した周辺機器としての画像表示装置１０１を配置したものである。画像形成装置１と画像表示装置１０１とは互いに連結されており、また、お互いに通信可能に接続されている。この使用例では、画像形成装置１のタッチパネル１１と画像表示装置１０１のタッチパネル１１とを単一画面として用い、２つのタッチパネル１１で１つの画像を表示させることができる。したがって、より大きな印刷対象画像のプレビュー表示が可能となる。また、画像形成装置１と画像表示装置１０１のタッチパネル１１にそれぞれ別個の画像を個別に表示し、これらの画像を画像形成装置１によって個別に印刷したり、これらの画像をまとめて１枚の用紙に印刷したりすることも可能である。
【００５０】
図２５は、本実施形態における画像形成装置１の更に他の使用例を示す斜視図である。
この使用例は、本実施形態における画像形成装置１の左側に、本実施形態の画像形成装置１と同じ筐体のホワイトボード装置１０２を配置したものである。この画像形成装置１とホワイトボード装置１０２とは互いに連結されている。ホワイトボード装置１０２は、本実施形態の画像形成装置１におけるタッチパネル１１の表示面に対応した箇所がホワイトボード１１２になっている。
【００５１】
この使用例では、例えば、ホワイトボード装置１０２のホワイトボード１１２にインクペンで手書きしたものを、例えばユーザーのデジカメやスマートフォンなどのカメラ機器で撮像し、その撮像画像データを画像形成装置１に送信することで、ホワイトボード１１２に手書きした画像のプレビュー表示、印刷が可能である。このとき、ホワイトボード１１２に手書きした画像と画像形成装置１のタッチパネル１１の表示面に表示された画像とを１枚の用紙に集約して、画像形成装置１のタッチパネル１１の表示面上にプレビュー表示したり、印刷したりすることが可能である。また、ホワイトボード１１２に手書きした画像や、ホワイトボード１１２に手書きした画像と画像形成装置１のタッチパネル１１の表示面に表示された画像とを集約した画像を、画像形成装置１のタッチパネル１１の表示面上に表示させ、上述した追記を行ってから、プレビュー表示、印刷も可能である。
【００５２】
図２６は、本実施形態における画像形成装置１の更に他の使用例を示す斜視図である。
この使用例は、本実施形態における画像形成装置１の左側に、本実施形態の画像形成装置１と同じ筐体のフリップチャート装置１０３を配置したものである。この画像形成装置１とフリップチャート装置１０３とは互いに連結されている。フリップチャート装置１０３は、本実施形態の画像形成装置１におけるタッチパネル１１の表示面に対応した箇所がフリップチャート１１３になっている。
【００５３】
この使用例でも、例えば、フリップチャート装置１０３のフリップチャート１１３にインクペンで手書きしたものを、例えばユーザーのデジカメやスマートフォンなどのカメラ機器で撮像し、その撮像画像データを画像形成装置１に送信することで、フリップチャート１１３に手書きした画像のプレビュー表示、印刷が可能である。このとき、フリップチャート１１３に手書きした画像と画像形成装置１のタッチパネル１１の表示面に表示された画像とを１枚の用紙に集約して、画像形成装置１のタッチパネル１１の表示面上にプレビュー表示したり、印刷したりすることが可能である。また、フリップチャート１１３に手書きした画像や、フリップチャート１１３に手書きした画像と画像形成装置１のタッチパネル１１の表示面に表示された画像とを集約した画像を、画像形成装置１のタッチパネル１１の表示面上に表示させ、上述した追記を行ってから、プレビュー表示、印刷も可能である。
【００５４】
図２４〜図２６に示した使用例で用いられる画像表示装置１０１、ホワイトボード装置１０２、フリップチャート装置１０３等の周辺機器は、いずれも、本実施形態における画像形成装置１から画像形成部２０を除去したものであり、安価に拡張画面を用意できる。これらの周辺機器において表示され又は手書きされた画像は、本画像形成装置１によって印刷できるので、これらの周辺機器に画像形成部２０を設ける必要がない。
【００５５】
図２７は、２つの画像形成装置１同士を連結するための連結機構の一例を説明する背面斜視図である。
図２８（ａ）は、連結前における２つの画像形成装置１の上部連結箇所を拡大した拡大斜視図であり、図２８（ｂ）は、連結後の上部連結箇所を拡大した拡大斜視図である。
図２９（ａ）は、連結前における２つの画像形成装置１の下部連結箇所を拡大した拡大斜視図であり、図２９（ｂ）は、連結後の下部連結箇所を拡大した拡大斜視図である。
【００５６】
画像形成装置１の上面には、図２８（ａ）に示すように、連結用の上面孔４２が設けられている。このような画像形成装置１を２つ隣り合わせで配置した状態で、各画像形成装置１の上面孔４２に上部連結部材４１の突起部４１ａをそれぞれ挿入する。これにより、図２８（ｂ）に示すように、２つの画像形成装置１が上部連結部材４１によって連結される。
【００５７】
同様に、画像形成装置１の背面下部には、図２９（ａ）に示すように、連結用の下部孔４４が設けられている。各画像形成装置１の下部孔４４に下部連結部材４３の突起部４３ａをそれぞれ挿入することで、図２９（ｂ）に示すように、２つの画像形成装置１が下部連結部材４３によって連結される。
【００５８】
なお、ここでは、２つの画像形成装置１同士を連結する連結機構について説明したが、画像形成装置１と画像表示装置１０１やホワイトボード装置１０２やフリップチャート装置１０３等の周辺機器とを連結する連結機構としても、同様のものを用いることができる。
【００５９】
〔変形例１〕
次に、本実施形態における画像形成装置１の背面形状の一変形例（以下、本変形例を「変形例１」という。）について説明する。
図３０は、本変形例１における画像形成装置１の一使用例を装置正面側から見た斜視図であり、図３１は、装置背面側から見た斜視図である。
本変形例１の画像形成装置１は、画像形成部２０を収容する背面形状が、三角柱形状ではなく、直方体形状である。この場合、これに収容される画像形成部２０のレイアウトの制約が少なく、例えば、感光体軸方向が画像形成装置１の奥行き方向（前後方向）に一致するように画像形成部２０を配置してもよく、排紙口２７も装置側面に限らず、装置正面や装置背面に配置してもよい。その結果、本変形例１の画像形成装置１において、印刷可能な最大用紙サイズはＡ３判である。
【００６０】
本変形例１においても、装置背面の後下カバー上面８の上にオプション天板９を装着すると、キャビネット３１の列に並べて配置したときにキャビネット３１列の上面を平坦な面とすることができ、利便性の向上を図ることができる。
【００６１】
図３２は、画像形成装置１とキャビネット３１及びパーティション３２とを連結するための連結機構の一例を説明する背面斜視図である。
図３３（ａ）は、連結前における画像形成装置１とパーティション３２との連結箇所を拡大した拡大斜視図であり、図３３（ｂ）は、連結後の連結箇所を拡大した拡大斜視図である。
図３４（ａ）は、連結前における画像形成装置１とキャビネット３１との連結箇所を拡大した拡大斜視図であり、図３４（ｂ）は、連結後の連結箇所を拡大した拡大斜視図である。
【００６２】
画像形成装置１の上面には、上述したとおり、連結用の上面孔４２が設けられており、一方、パーティション３２の上面にも、図３３（ａ）に示すように、連結用の上面孔４６が設けられている。このような画像形成装置１とパーティション３２とを隣り合わせで配置した状態で、画像形成装置１及びパーティション３２の上面孔４２，４６とに連結部材４５の突起部４５ａをそれぞれ挿入する。これにより、図３３（ｂ）に示すように、画像形成装置１とパーティション３２とが連結部材４５によって連結される。
【００６３】
また、画像形成装置１及びキャビネット３１の側面には、図３４（ａ）に示すように、連結用の側面ネジ孔４８が設けられている。このような画像形成装置１とキャビネット３１とを隣り合わせで配置した状態で、画像形成装置１及びキャビネット３１の側面ネジ孔４８に連結ネジ４７を嵌めて締結する。これにより、図３４（ｂ）に示すように、画像形成装置１とキャビネット３１とが連結ネジ４７によって連結される。
【００６４】
〔変形例２〕
次に、本実施形態における画像形成装置１の画像形成部を、画像形成装置１に設けられた収容部に対して着脱可能に収容される画像形成ユニットで構成した他の変形例（以下、本変形例を「変形例２」という。）について説明する。
図３５は、本変形例２における画像形成装置１の外観を示す斜視図であり、図３６は、本変形例２における画像形成装置１の前面開閉カバー５１を開いた状態を示す斜視図であり、図３７は、本変形例２における画像形成装置１の収容部５２から画像形成ユニット５０を取り外した状態を示す斜視図である。
【００６５】
本変形例２における画像形成装置１は、上述した実施形態の画像形成装置における画像形成部２０に代えて、画像形成装置１に設けられた収容部５２に対して着脱可能に収容される画像形成ユニット５０を採用している点で、上述した実施形態とは異なっている。本変形例２の画像形成ユニット５０は、インクジェットプリンタであるが、電子写真方式やその他の方式のプリンタであってもよい。
【００６６】
画像形成ユニット５０の電源配線や制御信号配線などの各種ケーブル５３は、画像形成装置１の本体コネクタに接続される。画像形成ユニット５０は、電源配線を介して画像形成装置１の本体から給電され、また、制御信号配線を介して画像形成装置１の本体の制御部からの制御命令や印刷対象画像の画像データなどを受ける。したがって、本変形例２においても、画像形成装置１のタッチパネル１１は、操作パネルとして機能し、上述した実施形態と同様に、例えば、タッチパネル１１にプレビュー表示された実寸サイズのプレビュー画像を確認した後のユーザーによる印刷指示操作に応じて、Ａ４判の用紙４に当該画像データに基づく画像を印刷することができる。
【００６７】
本変形例２において、画像形成ユニット５０を収容する収容部５２は、表示部１０の下方に配置されているが、その配置に特に制限はない。収容部５２は、画像形成ユニット５０を出し入れするための開口部を装置前面側に有しており、その開口部を開閉するための前面開閉カバー５１が設けられている。これにより、収容部５２に収容された画像形成ユニット５０は、前面開閉カバー５１を閉じることで、図３５に示すように、外部から視認されないようにすることができる。
【００６８】
本変形例２の前面開閉カバー５１には、収容部５２内の画像形成ユニット５０によって画像が形成された印刷済みの用紙４’を画像形成装置１の外部へ排出するための用紙排出口５１ａが形成されている。印刷済みの用紙４’は、前面開閉カバー５１が閉じた状態で、用紙排出口５１ａから装置前面側へ排出される。なお、前面開閉カバー５１に用紙排出口５１ａを設けず、前面開閉カバー５１を開いた状態にすることで、印刷済みの用紙４’を装置前面側に排出するような構成としてもよい。また、印刷済みの用紙４’を装置前面側に排出する構成ではなく、例えば装置側面側あるいは装置背面側に排出する構成としてもよい。装置側面側に排出する構成とする場合には、上述した実施形態と同様、図１に示すように、画像形成装置１の側面に設けられる排紙口から印刷済みの用紙４’の一部が突出するようにすると、ユーザーがその突出部分を把持して引き抜くことにより印刷済みの用紙４’が排紙口から取り出される。
【００６９】
なお、上述した実施形態や変形例１、２では、画像形成装置１のタッチパネル１１の表示面が縦長形状であったが、図３８に示すように横長形状であってもよい。
【００７０】
最後に、本実施形態における画像形成装置１としてのプリンタの具体的形状の例を、図３９〜図４４に六面図で図示するとともに、その六面図に図示した例の装置正面側の斜視図を図４５に図示し、その装置背面側の斜視図を図４６に図示する。上述のように、プリンタの装置上面の上部にはカメラ部が配置されており、カメラ部により原稿を撮像して、その原稿画像をプリントアウトすることができる。
【００７１】
以上に説明したものは一例であり、次の態様毎に特有の効果を奏する。
（態様Ａ）
用紙４等の記録材へ画像形成する前のプレビュー画像を表示面上に表示する表示部１０と、前記表示面に表示されたプレビュー画像に対応する画像を記録材上に形成する画像形成部２０とを備えた画像形成装置１において、前記表示面の縦寸法及び横寸法の両方が、前記画像形成部により画像形成可能な記録材サイズ（Ａ４判など）の最大長辺の長さ以上であることを特徴とする。
本態様によれば、横長の記録材に形成される画像でも、縦長の記録材に形成される画像でも、画像形成部により画像形成可能な最大の記録材サイズに形成する際に、実寸サイズのプレビュー画像を表示部の表示面に表示することができる。したがって、最大の記録材サイズに形成される画像であっても、適切な向きのプレビュー画像を実寸サイズで確認することができる。
【００７２】
（態様Ｂ）
前記態様Ａにおいて、前記記録材サイズの最大長辺は、日本工業規格Ａ列３番の長辺以上であることを特徴とする。
本態様によれば、日本工業規格Ａ列３番以上の記録材サイズに形成される画像であっても、適切な向きのプレビュー画像を実寸サイズで確認することができる。
【００７３】
（態様Ｃ）
前記態様Ａ又はＢにおいて、前記表示面が面する装置正面から見て、装置幅が前記最大長辺の長さの２倍以上であり、装置奥行きが前記画像形成部により画像形成可能な記録材サイズの最大短辺の長さの２倍未満であることを特徴とする。
これによれば、表示面のサイズを大きく確保しつつ、装置の奥行きの短い画像形成装置を実現することができる。
【００７４】
（態様Ｄ）
前記態様Ａ〜Ｃのいずれかの態様において、装置外部を撮像するカメラ部１２等の撮像部と、前記撮像部で撮像した撮像画像のプレビュー画像を前記表示面に表示させる制御部等の表示制御手段とを有することを特徴とする。
画像を読み取る手段としては、フラットベッドスキャナやシートスルースキャナなどの画像読取手段もあるが、このような画像読取手段では、原稿を搬送したり原稿を置いたりするスペースが必要となり、そのために、装置表面上に設けられる表示部の表示面サイズを大きく確保することが困難となる。本態様のように撮像部によって原稿を撮像して読み取る構成であれば、撮像部の設置スペースはごく僅かであるため、装置表面上に設けられる表示部の表示面サイズを大きく確保することが容易である。
【００７５】
（態様Ｅ）
前記態様Ａ〜Ｄのいずれかの態様において、前記画像形成部により画像が形成された用紙４’等の記録材を装置外部へ排出する排紙口２７等の記録材排出口を有し、前記記録材排出口は、前記表示面が面する装置正面とは異なる面に配置され、又は、該装置正面における該表示面の下方に配置されていることを特徴とする。
これによれば、記録材排出口から排紙された記録材が表示面に差し掛かることがなく、画像形成済みの記録材によって表示面が遮られることを防止できる。また、本画像形成装置に通信可能に接続されたパソコンなどの外部機器から別のユーザーが本画像形成装置で印刷する際、本画像形成装置の表示面の前で作業しているユーザーの邪魔をすることがなく、画像形成済みの記録材を取ることができる。
【００７６】
（態様Ｆ）
前記態様Ａ〜Ｅのいずれかの態様において、前記表示面上におけるユーザーの操作位置を検出するタッチパネル１１等の操作位置検出手段を有することを特徴とする。
これによれば、表示面とは別の場所に操作部を設ける必要がなく、又は、表示面とは別の場所に設けられる操作部を小型化できるので、装置表面上に設けられる表示部の表示面サイズをより大きく確保することが可能となる。
【００７７】
（態様Ｇ）
前記態様Ｆにおいて、前記プレビュー画像が前記表示面に表示されているときの前記操作位置検出手段の検出結果に基づいて、該プレビュー画像にユーザーが追記した追記画像を重畳させた重畳プレビュー画像を、前記表示面に表示させる制御部等の表示制御手段を有することを特徴とする。
これによれば、表示部の表示面上に表示されているプレビュー画像にユーザーが追記した追記画像を重畳させた重畳プレビュー画像を記録材に形成することができる。
【００７８】
（態様Ｈ）
前記態様Ａ〜Ｇのいずれかの態様において、前記表示面は、装置正面の上部に配置されており、装置背面には、オプション天板９等のテーブルが配置されていることを特徴とする。
前記表示面が装置正面の上部に配置された構成においては、装置の上部の奥行きを短くできる一方、装置の下部に画像形成部２０が配置されるため、装置の下部の奥行きを長くなる。このように装置の下部と上部との間には段差ができるが、ここにテーブルを配置することで、画像形成装置の背面側スペースも、テーブルを用いる様々な用途に活用が可能となる。
【００７９】
（態様Ｉ）
前記態様Ａ〜Ｈのいずれかの態様において、前記画像形成部は、前記画像形成装置に設けられた収容部に対して着脱可能に収容される画像形成ユニットであることを特徴とする。
これによれば、画像形成部の取り扱いが容易となり、画像形成部のメンテナンス等の作業を簡易化することができる
【００８０】
（態様Ｊ）
前記態様Ａ〜Ｉのいずれかの態様に係る画像形成装置と、画像形成機能を備えていない画像表示装置１０１とが互いに連結され、前記画像表示装置の表示部に表示された画像を前記画像形成装置の画像形成部により記録材上に形成可能に構成されていることを特徴とする画像形成システム。
これによれば、画像形成装置の表示部だけでなく画像表示装置の表示部も利用して画像を表示することができる。
【符号の説明】
【００８１】
１  画像形成装置
２  用紙補充用開閉カバー
４，４’  用紙
５  トナー補給用開閉カバー
６  後下カバー右斜面
７  後下カバー左斜面
８  後下カバー上面
９  オプション天板
１０  表示部
１１  タッチパネル
１２  カメラ部
１３  マイク部
１４  スピーカ部
２０  画像形成部
２１  給紙部
２２  用紙搬送部
２３  作像部
２４  定着部
２５  トナー補給部
２６  トナー容器
２７  排紙口
２８  用紙積載部
３１  キャビネット
１０１  画像表示装置
１０２  ホワイトボード装置
１０３  フリップチャート装置
１１２  ホワイトボード
１１３  フリップチャート
【先行技術文献】
【特許文献】
【００８２】
【特許文献１】特開２０１５−３６３１５号公報
【図１】
2018018057.tif 000003
【図２】
2018018057.tif 000004
【図３】
2018018057.tif 000005
【図４】
2018018057.tif 000006
【図５】
2018018057.tif 000007
【図６】
2018018057.tif 000008
【図７】
2018018057.tif 000009
【図８】
2018018057.tif 000010
【図９】
2018018057.tif 000011
【図１０】
2018018057.tif 000012
【図１１】
2018018057.tif 000013
【図１２】
2018018057.tif 000014
【図１３】
2018018057.tif 000015
【図１４】
2018018057.tif 000016
【図１５】
2018018057.tif 000017
【図１６】
2018018057.tif 000018
【図１７】
2018018057.tif 000019
【図１８】
2018018057.tif 000020
【図１９】
2018018057.tif 000021
【図２０】
2018018057.tif 000022
【図２１】
2018018057.tif 000023
【図２２】
2018018057.tif 000024
【図２３】
2018018057.tif 000025
【図２４】
2018018057.tif 000026
【図２５】
2018018057.tif 000027
【図２６】
2018018057.tif 000028
【図２７】
2018018057.tif 000029
【図２８】
2018018057.tif 000030
【図２９】
2018018057.tif 000031
【図３０】
2018018057.tif 000032
【図３１】
2018018057.tif 000033
【図３２】
2018018057.tif 000034
【図３３】
2018018057.tif 000035
【図３４】
2018018057.tif 000036
【図３５】
2018018057.tif 000037
【図３６】
2018018057.tif 000038
【図３７】
2018018057.tif 000039
【図３８】
2018018057.tif 000040
【図３９】
2018018057.tif 000041
【図４０】
2018018057.tif 000042
【図４１】
2018018057.tif 000043
【図４２】
2018018057.tif 000044
【図４３】
2018018057.tif 000045
【図４４】
2018018057.tif 000046
【図４５】
2018018057.tif 000047
【図４６】
2018018057.tif 000048